(57)【要約】      （修正有）【課題】蒸れ防止機能と、股ずれ防止機能を同時に生じさせることで、より快適で実用的な蒸れ防止用脚付き下着を提供する。【解決手段】左右一対の身頃を前後中心線で縫合する際、腹部と尻部に相当する部分にのみ縫合しない箇所を設けて開口部を形成させ、股間部は縫着し開口部を作らない構成とする。これにより、保温性を保ちつつ、蒸れを防止することができ、股間部には開口部を設けていないので、股ずれを防止することができ、はき心地にも清涼感と安定感が生じてくる。【選択図】図１
0003146670.tif 000002
【実用新案登録請求の範囲】
【請求項１】
左右一対の身頃からなる脚付きの下着であって、左右一対の身頃を前後中心線で縫合する際、腹部と尻部に相当する部分にのみ縫合しない箇所を設けて開口部を形成させ、股間部は縫着し開口部を作らない構成を特徴とする蒸れ防止脚付き下着。
【考案の詳細な説明】
【技術分野】
【０００１】  本考案は、ストッキング、タイツ、スパッツ及びズボン下等の脚付き下着に関する。
【背景技術】
【０００２】  年間を通してパンティストッキングが着用されており、着用時のパンティ部において、夏季には高温多湿による蒸れが生じ、冬季には暖房による高温多湿の条件や、重ね着による通気性の悪さから蒸れが生じ、さらにかゆみなどの不快感を持ったり、ひどいときには皮膚病までに至り、衛生的でないという問題がある。他方、最近では冷房設備の完備により、各種施設や交通機関内でも下着に保温性が必要とされる。このような状況のもとでパンティ部の蒸れを解消するため、股部に開口部を有するパンティストッキングが提案されている（特許文献１、特許文献２参照）。【０００３】  しかし、股部に開口部を有するパンティストッキングを着用した際、股部の開口部から、太腿が露出するため、太腿同士が擦れて股ずれが生じるという副作用が出てくる。この副作用のため実際には使うことが難しい。【０００４】  一方、パンティ部の前側中央部分と着用時における身体の各大腿部上部外側位置から臀裂中心線近傍位置にかけた、各転子部位及び左右各臀部の臀溝上方部位のそれぞれ対応部分とが開口した形状のパンティストッキングが提案されている（特許文献３参照）。【０００５】  しかし、特許文献３によるパンティストッキングでは、開口部が広いため、ほつれ止めの処理に手間がかかり、またパンティ部の保温性を保てないという問題がある。さらにタイツ、スパッツ及びズボン下においても同様の問題がある。
【特許文献１】  実公４７−１７６３７号公報
【特許文献２】  特開２００１−１１５３０３号公報
【特許文献３】  実開昭６３−１２３６０５号公報
【考案の開示】
【考案が解決しようとする課題】
【０００６】  本考案は、従来の脚付き下着の持つ保温性を保ちつつ、蒸れ防止機能と、股ずれ防止機能を同時に生じさせることで、より快適に実用的な蒸れ防止用脚付き下着を提供するものである。
【課題を解決するための手段】
【０００７】  前記課題を解決するため本考案は、左右一対の身頃からなる脚付きの下着であって、左右一対の身頃を前後中心線で縫合する際、腹部と尻部に相当する部分にのみ縫合しない箇所を設けて開口部を形成させ、股間部は縫着し開口部を作らない構成を特徴とする。
【考案の効果】
【０００８】  本考案は上記のごとく構成され、腹部と尻部に相当する部分にのみ開口部を設けたことにより、保温性を保ちつつ、蒸れを防止することができ、股間部には開口部を設けてないので、股ずれを防止することができ、はき心地にも清涼感と安定感が生じてくる。また、左右一対の身頃を縫合する際に開口部を設けることにより、製造工程の簡素化を図ることができる。
【考案を実施するための最良の形態】
【０００９】  以下、図面に示す実施の形態について説明する。図１は本考案に係るパンティストッキングを前から見た斜視図、図２は図１のパンティストッキングを後から見た斜視図、図３は本考案に用いられる左右一対の身頃の説明図である。本実施例のパンティストッキング１は、股間部にマチを縫着したストッキングである。【００１０】  本実施例のパンティストッキング１は、図３に示すごとく、左右一対の身頃２及び左右一対のマチ３からなり、身頃２は脚部４、パンティ部５からなる。左右のパンティ部５は、上端の開口から内側に切れ目６が入れてある。６ａは前側の切れ目で、６ｂは後側の切れ目である。６ｃは股間部、腹部及びウエスト下部に相当し、後述するマチを縫着するマチ縫着部で、６ｄはウエスト上部に相当し、左右身頃の中心線となるウエスト中心線、６ｅは股間部、尻部及びウエスト下部に相当し、後述するマチを縫着するマチ縫着部で、６ｆはウエスト上部に相当し、左右身頃の中心線となるウエスト中心線である。【００１１】  図４は、マチ３の説明図で、図４（ａ）で示す一枚のマチを、マチ中心線３ａにおいて分断し、図４（ｂ）で示すように、左右一対のマチが形成されている。３ｂは切れ目６のマチ縫着部６ｃに縫着される部分、３ｃは切れ目６のマチ縫着部６ｅに縫着される部分である。また、マチ中心線３ａにほつれ防止を施す。なお、ほつれ防止は、巻き縫い、縁取り縫い、或いは装飾縫いである。【００１２】  図５において、左右一対の身頃のマチ縫着部６ｃ、６ｅに左右一対のマチ３が縫着されている。
次いで左右一対のウエスト中心線６ｄ、６ｆ、及びマチ中心線３ａをつきあわせて、縫合する。その際、マチ中心線３ａにおいては、腹部３ｅ及び尻部３ｈを除く前後の股間部３ｄ、３ｇ及びウエスト下部３ｆ、３ｉを縫合することにより、前開口部７及び後開口部８が形成され、図１及び図２に示すように完成品となる。なお、前側及び後側の股間部３ｄ、３ｇの縫合する箇所の長さＬ１及びＬ２は５ｃｍ、前開口部７の長さＬ３は５ｃｍ、後開口部８の長さＬ４は７ｃｍに設定することが好適である。Ｌ１及びＬ２の長さを短くすると、股ずれ防止機能が消える可能性が出てくるからである。【００１３】  上記実施例では、股間に相当する部分にマチを設けたストッキングの例を示したが、マチがない場合でも、左右の身頃をパンティ部の前後中心線で縫合する際に、下腹部と尻部を縫合しないで開口部を形成することができる。
また、上記実施例ではストッキングを示したが、タイツ、スパッツ、ズボン下等の脚付き下着についても応用できる。
【図面の簡単な説明】
【００１４】
【図１】  本考案に係るパンティストッキングを前から見た斜視図である。
【図２】  図２のパンティストッキングを後から見た斜視図である。
【図３】  本考案に用いられる左右一対の身頃及びマチの説明図である。
【図４】  本考案に用いられる左右一対のマチの説明図である。
【図５】  図３の左右一対の身頃にマチを縫着した状態の説明図である。
【符号の説明】
【００１５】１  パンティストッキング
２  身頃
３  マチ
４  脚部
５  パンティ部
６  切れ目
７  前開口部
８  後開口部
【図１】
0003146670.tif 000003
【図２】
0003146670.tif 000004
【図３】
0003146670.tif 000005
【図４】
0003146670.tif 000006
【図５】
0003146670.tif 000007
【手続補正書】
【提出日】平成20年9月5日(2008.9.5)
【手続補正１】
【補正対象書類名】明細書
【補正対象項目名】全文
【補正方法】変更
【補正の内容】
【考案の詳細な説明】
【技術分野】
【０００１】  本考案は、ストッキング、タイツ、スパッツ及びズボン下等の脚付き下着に関する。
【背景技術】
【０００２】  年間を通してパンティストッキングが着用されており、着用時のパンティ部において、夏季には高温多湿による蒸れが生じ、冬季には暖房による高温多湿の条件や、重ね着による通気性の悪さから蒸れが生じ、さらにかゆみなどの不快感を持ったり、ひどいときには皮膚病までに至り、衛生的でないという問題がある。他方、最近では冷房設備の完備により、各種施設や交通機関内でも下着に保温性が必要とされる。このような状況のもとでパンティ部の蒸れを解消するため、股部に開口部を有するパンティストッキングが提案されている（特許文献１、特許文献２参照）。【０００３】  しかし、股部に開口部を有するパンティストッキングを着用した際、股部の開口部から、太腿が露出するため、太腿同士が擦れて股ずれが生じるという副作用が出てくる。この副作用のため実際には使うことが難しい。【０００４】  一方、パンティ部の前側中央部分と着用時における身体の各大腿部上部外側位置から臀裂中心線近傍位置にかけた、各転子部位及び左右各臀部の臀溝上方部位のそれぞれ対応部分とが開口した形状のパンティストッキングが提案されている（特許文献３参照）。【０００５】  しかし、特許文献３によるパンティストッキングでは、開口部が広いため、ほつれ止めの処理に手間がかかり、またパンティ部の保温性を保てないという問題がある。さらにタイツ、スパッツ及びズボン下においても同様の問題がある。
【特許文献１】  実公４７−１７６３７号公報
【特許文献２】  特開２００１−１１５３０３号公報
【特許文献３】  実開昭６３−１２３６０５号公報
【考案の開示】
【考案が解決しようとする課題】
【０００６】  本考案は、従来の脚付き下着の持つ保温性を保ちつつ、蒸れ防止機能と、股ずれ防止機能を同時に生じさせることで、より快適に実用的な蒸れ防止用脚付き下着を提供するものである。
【課題を解決するための手段】
【０００７】  前記課題を解決するため本考案は、左右一対の身頃からなる脚付きの下着であって、左右一対の身頃を前後中心線で縫合する際、腹部と尻部に相当する部分にのみ縫合しない箇所を設けて開口部を形成させ、股間部は縫着し開口部を作らない構成を特徴とする。
【考案の効果】
【０００８】  本考案は上記のごとく構成され、腹部と尻部に相当する部分にのみ開口部を設けたことにより、保温性を保ちつつ、蒸れを防止することができ、股間部には開口部を設けてないので、股ずれを防止することができ、はき心地にも清涼感と安定感が生じてくる。また、左右一対の身頃を縫合する際に開口部を設けることにより、製造工程の簡素化を図ることができる。
【考案を実施するための最良の形態】
【０００９】  以下、図面に示す実施の形態について説明する。図１は本考案に係るパンティストッキングを前から見た斜視図、図２は図１のパンティストッキングを後から見た斜視図、図３は本考案に用いられる左右一対の身頃の説明図である。本実施例のパンティストッキング１は、股間部にマチを縫着したストッキングである。【００１０】本実施例のパンティストッキング１は、図３に示すごとく、左右一対の身頃２及び左右一対のマチ３からなり、身頃２は脚部４、パンティ部５からなる。左右のパンティ部５は、上端の開口から内側に切れ目６が入れてある。６ａは前側の切れ目で、６ｂは後側の切れ目である。６ｃは股間部、腹部及びウエスト下部に相当し、後述するマチを縫着するマチ縫着部で、６ｄはウエスト上部に相当し、左右身頃の中心線となるウエスト中心線、６ｅは股間部、尻部及びウエスト下部に相当し、後述するマチを縫着するマチ縫着部で、６ｆはウエスト上部に相当し、左右身頃の中心線となるウエスト中心線である。【００１１】  図４は、マチ３の説明図で、図４（ａ）で示す一枚のマチを、マチ中心線３ａにおいて分断し、図４（ｂ）で示すように、左右一対のマチが形成されている。３ｂは切れ目６のマチ縫着部６ｃに縫着される部分、３ｃは切れ目６のマチ縫着部６ｅに縫着される部分である。また、マチ中心線３ａにほつれ防止を施す。なお、ほつれ防止は、巻き縫い、縁取り縫い、或いは装飾縫いである。【００１２】  図５において、左右一対の身頃のマチ縫着部６ｃ、６ｅに左右一対のマチ３が縫着されている。
次いで左右一対のウエスト中心線６ｄ、６ｆ、及びマチ中心線３ａをつきあわせて、縫合する。その際、マチ中心線３ａにおいては、腹部３ｅ及び尻部３ｈを除く前後の股間部３ｄ、３ｇ及びウエスト下部３ｆ、３ｉを縫合することにより、前開口部７及び後開口部８が形成され、図１及び図２に示すように完成品となる。なお、前側及び後側の股間部３ｄ、３ｇの縫合する箇所の長さＬ１及びＬ２は５ｃｍ、前開口部７（腹部３ｅ）の長さＬ３は５ｃｍ、後開口部８（尻部３ｈ）の長さＬ４は７ｃｍに設定することが好適である。Ｌ１及びＬ２の長さを短くすると、股ずれ防止機能が消える可能性が出てくるからである。【００１３】  上記実施例では、股間に相当する部分にマチを設けたストッキングの例を示したが、マチがない場合でも、左右の身頃をパンティ部の前後中心線で縫合する際に、下腹部と尻部を縫合しないで開口部を形成することができる。
また、上記実施例ではストッキングを示したが、タイツ、スパッツ、ズボン下等の脚付き下着についても応用できる。その際、材質により開口部の大きさは適宜変更するとよい。
【図面の簡単な説明】
【００１４】
【図１】  本考案に係るパンティストッキングを前から見た斜視図である。
【図２】  図２のパンティストッキングを後から見た斜視図である。
【図３】  本考案に用いられる左右一対の身頃及びマチの説明図である。
【図４】  本考案に用いられる左右一対のマチの説明図である。
【図５】  図３の左右一対の身頃にマチを縫着した状態の説明図である。
【符号の説明】
【００１５】１  パンティストッキング
２  身頃
３  マチ
４  脚部
５  パンティ部
６  切れ目
７  前開口部
８  後開口部